(57)【要約】      （修正有）【課題】走行玩具一般に適用ができる走行玩具用軌道切換装置及び走行玩具用軌道を提供する。【解決手段】第１軌道部Ｂ３１と第２軌道部Ｂ３２の分岐点に回動自在に設置され、先端部を両側壁側に選択的に移動させることによって、走行玩具の進路を変更させるガイド部材１２と、ガイド部材１２に連結され、走行玩具の前端の突き当たりによって回動動作してガイド部材１２を回動させる第１操作片１４ａ及び第２操作片１４ｂとを備えたことを特徴とする。【選択図】図２
0003199932.tif 000002
【実用新案登録請求の範囲】
【請求項１】
１つの軸を中心に回動可能に構成され回動によって先端部が１つの軌道部の第１側壁側及び第２側壁側に選択的に移動可能なガイド部材を有し、前記ガイド部材の先端部が前記第１側壁側にある状態では前記１つの軌道部に進入して来た走行玩具を前記ガイド部材によって第１軌道部に導き、前記ガイド部材の先端部が前記第２側壁側にある状態では前記１つの軌道部に進入して来た走行玩具を前記ガイド部材によって第２軌道部に導く走行玩具用軌道切換装置において、
前記ガイド部材には、
前記１つの軸を中心に回動可能に構成され、前記ガイド部材の先端部が前記第１側壁側にある状態では前記第１軌道部の上に進出し、前記第１軌道部に導かれた前記走行玩具の前端の突き当たりによって当該ガイド部材を回動させて前記ガイド部材の先端部を前記第２側壁側に移動させる第１操作片と、
前記１つの軸を中心に回動可能に構成され、前記ガイド部材の先端部が前記第２側壁側にある状態では前記第２軌道部の上に進出し、前記第２軌道部に導かれた前記走行玩具の前端の突き当たりによって当該ガイド部材を回動させて前記ガイド部材の先端部を前記第１側壁側に移動させる第２操作片と、
が連結して設けられていることを特徴とする走行玩具用軌道切換装置。
【請求項２】
前記第１操作片及び前記第２操作片は一体的に構成されていることを特徴とする請求項１記載の走行玩具用軌道切換装置。
【請求項３】
前記ガイド部材には、前記第１操作片及び前記第２操作片が所定の付勢手段を介して連結され、前記ガイド部材と前記第１操作片及び前記第２操作片との間に過負荷が作用した際に、前記ガイド部材と前記第１操作片及び前記第２操作片とが前記所定の付勢手段の付勢力に抗して相対的に回動可能に構成されていることを特徴とする請求項１又は請求項２に記載の走行玩具用軌道切換装置。
【請求項４】
前記所定の付勢手段は弾性部材であることを特徴とする請求項３に記載の走行玩具用軌道切換装置。
【請求項５】
前記ガイド部材の先端部が前記第１側壁側にある状態と、前記ガイド部材の先端部が前記第２側壁側にある状態とで、前記ガイド部材の回動をロック可能なロック機構を備えたことを特徴とする請求項３又は請求項４に記載の走行玩具用軌道切換装置。
【請求項６】
前記第１側壁と前記第２側壁との中間にある前記ガイド部材の先端部を前記第１側壁側又は前記第２側壁側に偏倚させる偏倚機構を備えることを特徴とする請求項１から請求項５のいずれか一項に記載の走行玩具用軌道切換装置。
【請求項７】
請求項１から請求項６のいずれか一項に記載の走行玩具用軌道切換装置を組み込んだことを特徴とする走行玩具用軌道。
【考案の詳細な説明】
【技術分野】
【０００１】
本考案は、走行玩具用軌道切換装置及び走行玩具用軌道に関するものである。
【背景技術】
【０００２】
１つの軌道部を複数の軌道部に選択的に接続する軌道切換装置として、軌道部の分岐部に可動のガイド部材を配設し、そのガイド部材を、軌道部上を走行する走行玩具によって動作させ、これにより走行玩具が走行する軌道部を切り換えるように構成した走行玩具用軌道切換装置が知られている（例えば、特許文献１参照）。
この特許文献１に開示された軌道切換装置では、軌道部下部に操作部材を配設し、その先端を各軌道部上にそれぞれ突出させ、この突出部を、走行玩具の下面に形成した係合突起で動作させることによって、ガイド部材を動作させている。
【先行技術文献】
【特許文献】
【０００３】
【特許文献１】実開昭５２−４３５９１号公報
【考案の概要】
【考案が解決しようとする課題】
【０００４】
このように構成された走行玩具用軌道切換装置によれば、下面に係合突起を有する走行玩具を走行させた場合にしか軌道切換えを行うことができないという問題があった。
【０００５】
本考案は、走行玩具一般に適用が可能な走行玩具用軌道切換装置及び走行玩具用軌道を提供することを目的とする。
【課題を解決するための手段】
【０００６】
請求項１に記載の走行玩具用軌道装置は、
１つの軸を中心に回動可能に構成され回動によって先端部が１つの軌道部の第１側壁側及び第２側壁側に選択的に移動可能なガイド部材を有し、前記ガイド部材の先端部が前記第１側壁側にある状態では前記１つの軌道部に進入して来た走行玩具を前記ガイド部材によって第１軌道部に導き、前記ガイド部材の先端部が前記第２側壁側にある状態では前記１つの軌道部に進入して来た走行玩具を前記ガイド部材によって第２軌道部に導く走行玩具用軌道切換装置において、
前記ガイド部材には、
前記１つの軸を中心に回動可能に構成され、前記ガイド部材の先端部が前記第１側壁にある状態では前記第１軌道部の上に進出し、前記第１軌道部に導かれた前記走行玩具の前端の突き当たりによって当該ガイド部材を回動させて前記ガイド部材の先端部を前記第２側壁側に移動させる第１操作片と、
前記１つの軸を中心に回動可能に構成され、前記ガイド部材の先端部が前記第２側壁にある状態では前記第２軌道部の上に進出し、前記第２軌道部に導かれた前記走行玩具の前端の突き当たりによって当該ガイド部材を回動させて前記ガイド部材の先端部を前記第１側壁側に移動させる第２操作片と、
が連結して設けられていることを特徴とする。
【０００７】
請求項２記載の走行玩具用軌道切換装置は、請求項１記載の走行玩具用軌道切換装置において、前記第１操作片及び前記第２操作片は一体的に構成されていることを特徴とする。
【０００８】
請求項３記載の走行玩具用軌道切換装置は、請求項１又は請求項２に記載の走行玩具用軌道切換装置において、前記ガイド部材には、前記第１操作片及び前記第２操作片が所定の付勢手段を介して連結され、前記ガイド部材と前記第１操作片及び前記第２操作片との間に過負荷が作用した際に、前記ガイド部材と前記第１操作片及び前記第２操作片とが前記所定の付勢手段の付勢力に抗して相対的に回動可能に構成されていることを特徴とする。また、請求項４記載の走行玩具用軌道切換装置は、請求項３に記載の走行玩具用軌道切換装置において、前記所定の付勢手段は弾性部材であることを特徴とする。
【０００９】
請求項５記載の走行玩具用軌道切換装置は、請求項３又は請求項４に記載の走行玩具用軌道切換装置において、前記ガイド部材の先端部が前記第１側壁側にある状態と、前記ガイド部材の先端部が前記第２側壁側にある状態とで、前記ガイド部材の回動をロック可能なロック機構を備えたことを特徴とする。
【００１０】
請求項６記載の走行玩具用軌道切換装置は、請求項１から請求項５のいずれか一項に記載の走行玩具用軌道切換装置において、前記第１側壁と前記第２側壁との中間にある前記ガイド部材の先端部を前記第１側壁側又は前記第２側壁側に偏倚させる偏倚機構を備えることを特徴とする。
【００１１】
請求項７記載の走行玩具用軌道は、請求項１から請求項６のいずれか一項に記載の走行玩具用軌道切換装置を組み込んだことを特徴とする走行玩具用軌道である。
【考案の効果】
【００１２】
請求項１記載の考案によれば、1つの軸を中心に回動可能なガイド部材と、前記1つの軸を中心に回動可能な第１操作片及び第２操作片とが連結され、第１操作片及び第２操作片への走行玩具の前端の突き当たりによって、ガイド部材を回動させるので、特別な走行玩具を必要とせず、走行玩具一般に適用が可能な走行玩具用軌道切換装置が実現できる。
【００１３】
請求項２記載の考案によれば、第１操作片及び第２操作片が一体的に構成されているので、走行玩具用軌道切換装置の構成が簡素なものとなる。
【００１４】
請求項３（例えば請求項４）記載の考案によれば、ガイド部材には、第１操作片及び第２操作片が所定の付勢手段（例えば弾性部材）を介して連結され、ガイド部材と第１操作片及び第２操作片との間に過負荷が作用した際に、ガイド部材と第１操作片及び第２操作片とが所定の付勢手段（例えば弾性部材）の付勢力に抗して相対的に回動可能に構成されているので、走行玩具が連続的に進入した場合でも走行玩具を円滑に進行させることができる。
すなわち、走行玩具が、１台ずつ、所定の間隔を保って、走行軌道用切換装置が付設された軌道部に進入する場合には、ガイド部材と第１操作片及び第２操作片とが固定的に連結されていても、確実に軌道切換えを行うことができる。また、同程度の車長及び車幅を有する走行玩具が、数珠繋ぎ状態で連続的に、走行軌道用切換装置が付設された軌道部に進入する場合にも、ガイド部材と第１操作片及び第２操作片とが固定的に連結されていても、問題は少ない。なぜならば、走行玩具の車長及び車幅に対応させて軌道幅やガイド部材の長さ等の調整を行っておけば、軌道切換えが上手く行えるからである。しかしながら、１つの走行玩具用軌道を走行させる走行玩具は１種類とは限らない。むしろ、１つの走行玩具用軌道を走行させる走行玩具は複数種類とする場合が多い。この場合、走行玩具が、数珠繋ぎ状態で連続的に、走行軌道用切換装置が付設された軌道部に進入すると、先行の走行玩具の前端の第１操作片又は第２操作片への突き当たりによってガイド部材が動作するが、先行の走行玩具が通過しない間に、後続の走行玩具がそのガイド部材と軌道部の側壁とに挟み込まれ、当該第１操作片又は当該第２操作片の回動が妨げられて先行の走行玩具が通過を阻止されるとともに、後続の走行玩具もガイド部材と軌道部の側壁とに挟み込まれたままとなり通過を妨げられてしまう虞がある。この点、請求項３及び請求項４に記載の走行玩具用軌道切換装置によれば、ガイド部材と第１操作片及び第２操作片とが所定の付勢手段（例えば弾性部材）の付勢力に抗して相対的に回動可能に構成されているので、この相対的回動によって、先行の走行玩具及び後続の走行玩具が円滑に連続通過することができる。
【００１５】
請求項５記載の考案によれば、ガイド部材の先端部が第１側壁にある状態と、ガイド部材の先端部が第２側壁にある状態とで、ガイド部材の回動をロック可能となっているので、進入して来た走行玩具を第１軌道部及び第２軌道部の特定の一方だけに導くことができる。
【００１６】
請求項６記載の考案によれば、第１側壁と第２側壁との中間にあるガイド部材の先端部を第１側壁側又は第２側壁側に偏倚させるので、進入して来た走行玩具を第１軌道部及び第２軌道部の一方に確実に導くことができる。
【００１７】
請求項７記載の考案によれば、請求項１から請求項５のいずれか一項に記載の考案の効果を有する面白みのある走行玩具用軌道が実現できる。
【図面の簡単な説明】
【００１８】
【図１】本考案に係る走行玩具用軌道の一実施形態を示した斜視図である。
【図２】本考案に係る走行玩具用軌道切換装置の一実施形態を示した斜視図である。
【図３】図２の走行玩具用軌道切換装置の分解斜視図である。
【図４】図２の走行玩具用軌道切換装置のガイド部材と操作部材との連結構造を説明するための分解斜視図である。
【図５】図２の走行玩具用軌道切換装置におけるガイド部材と操作部材の動作を示した平面図で、（Ａ）は走行玩具が一方の軌道部へ進行する状態を示し、（Ｂ）は走行玩具が他方の軌道部へ進行する状態を示している。
【図６】図２の走行玩具用軌道装置において走行玩具が連続的に進入して来たときのガイド部材と操作部材の動作を示した平面図である。
【図７】図２の走行玩具用軌道装置におけるガイド部材の位置決め機構及びロック機構の説明図である。
【図８】本考案に係る軌道切換装置に付設された偏倚機構の説明図である。
【考案を実施するための形態】
【００１９】
以下、本考案に係る走行玩具用軌道切換装置及び走行玩具用軌道を図面に示した実施の形態に基づいて説明する。
【００２０】
（概略構成）
図１は、走行玩具用軌道切換装置が組み込まれた走行玩具用軌道（以下、軌道という）１を示している。この軌道１は、モータ等の動力を搭載しない走行玩具Ａ、例えば自動車玩具を走行させるためのものである。この軌道１は、軌道１の高低差を利用して走行玩具Ａを走行させるように構成されている。
【００２１】
すなわち、この軌道１では、最上軌道部Ｂ１にある走行玩具Ａは、自重によって、直線状下り坂軌道部Ｂ２を降下し切換軌道部Ｂ３に至る。そして、走行玩具Ａは、切換軌道部Ｂ３に設置された走行玩具用軌道切換装置（以下、軌道切換装置という）１０によって、２つの軌道部Ｂ３１，Ｂ３２（図２及び図３参照）のうちの１つに選択的に導かれ、一方の軌道部Ｂ３１に導かれた走行玩具Ａは、螺旋状下り坂軌道部Ｂ４を経て直線状下り坂軌道部Ｂ５に入り、その直線状下り坂軌道部Ｂ５の下端からＵ字曲線状軌道部Ｂ６で進行方向が１８０°変更され、さらに、直線状上り坂軌道部Ｂ７及び直線状平坦軌道部Ｂ８を経て、エスカレータ部Ｂ１０の下端まで進行し、エスカレータ部Ｂ１０で最上軌道部Ｂ１まで運ばれる。
また、軌道切換装置１０によって、２つの軌道部Ｂ３１，Ｂ３２のうち軌道部Ｂ３２に導かれた走行玩具Ａは、弧状平坦軌道部Ｂ９及び直線状平坦軌道部Ｂ８を経て、エスカレータ部Ｂ１０の下端まで進行し、エスカレータ部Ｂ１０で最上軌道部Ｂ１まで運ばれる。
なお、エスカレータ部Ｂ１０においては、周面にフィン１０ａを形成したベルトコンベアで、フィン１０ａを走行玩具Ａの底部に当接させて走行玩具Ａを移動させる。または、ベルトコンベアに走行玩具Ａの後部を押圧する突起（図示せず）を所定間隔で設けておき、この突起によって走行玩具Ａの後部を押圧して走行玩具Ａを移動させてもよい。
また、図１において符号４０は他のガイド部材を示しており、このガイド部材４０は手動又は走行玩具Ａの突き当たりによって軌道を切り換えるように構成されている。
【００２２】
（細部構成）
１．軌道切換装置１０
本実施形態の軌道切換装置１０は切換軌道部Ｂ３に設けられている。
この切換軌道部Ｂ３は、図２に示したように、Ｙ字状軌道部を構成している。すなわち、切換軌道部Ｂ３は、直線状下り坂軌道部Ｂ２に連結された軌道部Ｂ３０と、螺旋状下り坂軌道部Ｂ４に連結された第１軌道部Ｂ３１と、弧状平坦軌道部Ｂ９に連結された第２軌道部Ｂ３２とを備えている。
そして、第１軌道部Ｂ３１の側壁と第２軌道部Ｂ３２の側壁とが会合する箇所には図３に示した軸１１が設けられている。
【００２３】
軸１１には、ガイド部材１２及び操作部材１４が回動可能に設けられている。
このうち、操作部材１４は、第１操作片１４ａと第２操作片１４ｂとが一体に構成され、中央の筒軸部分１４ｃが外嵌された状態で軸１１に回動可能に取り付けられている。この操作部材１４は、第１操作片１４ａ及び第２操作片１４ｂのいずれか１つに走行玩具Ａが突き当たることによって操作される。
また、軸１１には、操作部材１４の上にガイド部材１２が、操作部材１４の下に回動板１２ａが外嵌された状態でそれぞれ回動可能に取り付けられている。このガイド部材１２は、回動位置に応じて、走行玩具Ａを２つの軌道部Ｂ３１，Ｂ３２のうちの１つに選択的に導くためのものである。このガイド部材１２は、回動位置に応じて、その先端部が切換軌道部Ｂ３の凹部１８ａ及び１８ｂの１つに選択的に嵌入する。このガイド部材１２と回動板１２ａとは、ガイド部材１２の偏心位置２箇所に付設された筒体１２ｂが回動板１２ａのピン１２ｃに嵌合することで一体化されている。また、筒体１２ｂ及びピン１２ｃの一方の組は操作部材１４の筒軸部分１４ｃの外側に形成された弧状ガイド孔１４ｄに挿通されている。なお、ガイド部材１２にはガイド板１２１が設けられ、走行玩具Ａを確実に第１操作片１４ａ又は第２操作片１４ｂに向かわせることができるようにされている。
また、図４に示されるように、操作部材１４の筒軸部分１４ｃからは付勢手段である２本の棒状ばね１７ａ，１７ｂが半径方向外方に向けて突出しており、この２本の棒状ばね１７ａ，１７ｂは上記筒体１２ｂ及びピン１２ｃの一方の組を挟み込み、先端部が、操作部材１４の筒軸部分１４ｃの外側に形成された弧状壁１４ｅに形成された突起１４ｆを挟持している。これにより、ガイド部材１２は、２本の棒状ばね１７ａ，１７ｂ（以下、総称するときには符号１７を用いる。）の付勢力によって、操作部材１４と一体的に回動可能となっており、ガイド部材１２と操作部材１４との間に過負荷が作用した際には、棒状ばね１７の付勢力に抗して、ガイド部材１２と操作部材１４とが相対的に回動可能となっている。ここに「過負荷」とは、ガイド部材１２と操作部材１４との間に回動に必要な力以上の負荷が作用した場合を言う。
【００２４】
２．軌道切換装置１０の動作
この軌道切換装置１０は次のように動作する。
図５（Ａ）に示されるように、ガイド部材１２の先端部が切換軌道部Ｂ３の凹部１８ａに嵌入している場合、ガイド部材１２は軌道部Ｂ３２への通路を閉塞し、軌道部Ｂ３１には操作片１４ａが進出する。この状態で、走行玩具Ａが直線状下り坂軌道部Ｂ２から切換軌道部Ｂ３に進入して来ると、走行玩具Ａはガイド部材１２によって軌道部Ｂ３１に導かれ、第１操作片１４ａに突き当たり、上面視で、当該操作片１４ａを軸１１を中心に反時計方向に回動させる。これによって、ガイド部材１２は、突起１４ｆ及び棒状ばね１７を介して、反時計方向に回動させられ、図５（Ｂ）に示されるように、ガイド部材１２の先端部が切換軌道部Ｂ３の凹部１８ｂに嵌入（当接）する。その間に、走行玩具Ａは、第１操作片１４ａを押しながら、軌道部Ｂ３１から螺旋状下り坂軌道部Ｂ４に送出される。
【００２５】
一方、図５（Ｂ）の状態では、ガイド部材１２は軌道部Ｂ３１への通路を閉塞し、軌道部Ｂ３２には操作片１４ｂが進出する。この状態で、走行玩具Ａが直線状下り坂軌道部Ｂ２から切換軌道部Ｂ３に進入すると、走行玩具Ａはガイド部材１２によって軌道部Ｂ３２に導かれ、操作片１４ｂに突き当たり、当該操作片１４ｂを軸１１を中心に時計方向に回動させる。これによって、ガイド部材１２は、突起１４ｆ及び棒状ばね１７を介して時計方向に回動させられ、図５（Ａ）に示されるように、ガイド部材１２の先端部が切換軌道部Ｂ３の凹部１８ａに嵌入（当接）する。その間に、走行玩具Ａは、第２操作片１４ｂを押しながら、軌道部Ｂ３２から弧状平坦軌道部Ｂ９に送出される。
【００２６】
なお、この軌道切換装置１０において、図６に示されるように、例えば、走行玩具Ａが連続的に数珠つなぎ状態で軌道部Ｂ３２に進入すると、先行する走行玩具Ａが第２操作片１４ｂを押している間にガイド部材１２の先端部が後続の走行玩具Ａの側面に突き当たり、ガイド部材１２と軌道部Ｂ３０の側壁との間に挟み込まれる。この場合、ガイド部材１２と操作部材１４とが固定されていると、走行玩具Ａが詰まってしまう場合が生じる。しかし、実施形態の軌道切換装置１０では、ガイド部材１２と操作部材１４とが棒状ばね１７によって連結されているため、棒状ばね１７の付勢力に抗してガイド部材１２と操作部材１４とが相対的に回動するため、先行する走行玩具Ａは、そのまま進行することができる。なお、後続の走行玩具Ａも引き続き進行することができる。
【００２７】
３．ガイド部材１２の位置決め機構２０
図７に示されるように、軌道切換装置１０には、ガイド部材１２を所定位置で位置決めするための位置決め機構２０が配設されている。ここに、「所定位置」とは、ガイド部材１２の振り幅の両端位置である。この位置決め機構２０は、図７に示されるように、軸１１に対して接離する方向に動作するスライド片２１を備えている。このスライド片２１はコイルスプリング２２によって軸１１に向けて付勢されている。このスライド片２１の先端縁には、幅方向の中央に平坦面２１ａが形成されると共に、両側端に面取りによって斜面２１ｂ，２１ｃが形成されている。
【００２８】
４．位置決め機構２０の動作
この位置決め機構２０によれば、スライド片２１の先端縁は、コイルスプリング２２によって、ガイド部材１２の上記筒体１２ｂ及びピン１２ｃの一方の組に常時当接した状態にある。そして、スライド片２１は、図７の２点鎖線で示される位置、すなわちガイド部材１２の振り幅の中間位置にあるとき、スライド片２１の先端の平坦面２１ａが上記筒体１２ｂ及びピン１２ｃの一方の組に当接し、コイルスプリング２２の付勢力に抗して、軸１１から離間した状態にある。
一方、スライド片２１は、ガイド部材１２の先端部が凹部１８ｂに嵌入する位置にあるとき、スライド片２１の先端の斜面２１ｃに当接し、コイルスプリング２２の付勢力によって、軸１１に接近する。これによって、ガイド部材１２は、先端部が凹部１８ｂに嵌入している状態に拘束される。同様に、ガイド部材１２の先端部が凹部１８ａに嵌入する位置にあるとき、スライド片２１の先端の斜面２１ｂに当接し、コイルスプリング２２の付勢力によって、軸１１に接近する。これによって、ガイド部材１２は、先端部が凹部１８ａに嵌入している状態に拘束される。
なお、この位置決め機構２０によるガイド部材１２の拘束は、走行玩具Ａの操作部材１４への突き当たりの際のガイド部材１２の回動動作を妨げない程度の拘束である。
【００２９】
５．ガイド部材１２のロック機構２４
軌道切換装置１０には、ガイド部材１２を所定位置でロックするためのロック機構２４が設けられている。このロック機構２４はストッパ片２５を備えている（図２及び図３参照）。ストッパ片２５は、上面に摘まみ２５ａを有し、スライド片２１の動作方向と直角な方向に動作可能に設置されている。このストッパ片２５の裏面には図示しない溝が形成されている。一方、スライド片２１には、図３に示されるようにピン２１ｄが立設されており、そのピン２１ｄは上記溝に下側から挿入されている。
【００３０】
６．ロック機構２４の動作
このロック機構２４によれば、ストッパ片２５が図７において左方に位置している場合には、上記溝内でピン２１ｄが遊動可能な状態となっているので、スライド片２１の動作は拘束されない。一方、ガイド部材１２の先端部が凹部１８ａ，１８ｂのいずれかに嵌入しているとき、ストッパ片２５を右方へ移動させると、スライド片２１は、上記溝の側壁によってピン２１ｄが拘束されて軸１１に向けて突出状態に保持され、上記筒体１２ｂ及びピン１２ｃの一方の組がスライド片２１の斜面２１ｂ，２１ｃによってその位置に拘束される。これによりガイド部材１２の回動は不可能になり、ガイド部材１２は凹部１８ａ，１８ｂのいずれかに嵌入した状態にロックされる。
ガイド部材１２がロックされた状態では、切換軌道部Ｂ３に進入した走行玩具Ａは、ガイド部材１２によって閉塞されていない通路へ導かれる。その際、走行玩具Ａは操作部材１４に突き当たるが、当該操作部材１４が棒状ばね１７の付勢力に抗して回動されるので、走行玩具Ａの進行を阻害することはない。
【００３１】
７．ガイド部材１２の偏倚機構３０
図８に示されるように、軌道切換装置１０には、凹部１８ａと凹部１８ｂとの中間にあるガイド部材１２の先端部を凹部１８ａ側又は凹部１８ｂ側に偏倚させる偏倚機構３０が設けられている。すなわち、切換軌道部Ｂ３の床面には、凹部１８ａと凹部１８ｂとの中間に山形突起３１が形成され、回動板１２ａの下面には半球状の突起１２０が形成されている。そして、ガイド部材１２が回動する際には回動板１２ａの下面の突起１２０が山形突起３１を摺接によって乗り越える。また、ガイド部材１２の先端部が凹部１８ａと凹部１８ｂとの中間にあるときには、突起１２０の上の構造物の重さによって、ガイド部材１２の先端部を凹部１８ａ側（第１側壁側）又は凹部１８ｂ側（第２側壁側）のいずれかの側に偏倚させられる。これによって、走行玩具Ａの軌道部Ｂ３１又はＢ３２への進入が確実に行えることになる。
【００３２】
（考案の変形例）
以上、本考案の実施形態について説明したが、本考案は、かかる実施形態に限定されるものではなく、その要旨を逸脱しない範囲で種々変形可能であることは言うまでもない。
例えば、上記実施形態では、走行玩具Ａとして非自走式の自動車玩具について説明したが、走行玩具Ａは電車玩具その他の走行玩具でもよい。また、モータ等の動力源を有する自走式の走行玩具一般にも適用できることは勿論である。
【００３３】
また、上記実施形態では、付勢手段である２本の棒状ばね１７ａ，１７ｂを介してガイド部材１２と第１操作片１４ａ及び第２操作片１４ｂとを連結したが、他の付勢手段（戻り手段）を介してガイド部材１２と第１操作片１４ａ及び第２操作片１４ｂとを連結してもよい。
例えば、１つの筒軸を上下に２つに斜めに割ったような形状の第１筒軸部分及び第２筒軸部分から構成される付勢手段を設けてもよい。この場合には、第１筒軸部分及び第２筒軸部分のうちの一方の筒軸部分に第１操作片１４ａ及び第２操作片１４ｂを付設し、他方の筒軸部分にガイド部材１２を付設する。
このように構成された付勢手段によれば、常態では、重力作用（付勢力）によって、第１筒軸部分の端面（楕円状端面）と第２筒軸部分の端面（楕円状端面）とが相補的にぴったりと重なり合って1つの筒軸を構成する。この状態で、第１操作片１４ａ又は第２操作片１４ｂに走行玩具Ａの前端が突き当たると、ガイド部材１２と第１操作片１４ａ及び第２操作片１４ｂとが一体的に回動する。一方、ガイド部材１２と第１操作片１４ａ及び第２操作片１４ｂとの間に過負荷が作用すると、重力作用（付勢力）に抗して、第１筒軸部分と第２筒軸部分とが相対的に回動し、その後過負荷が無くなると、重力作用（付勢力）によって、第１筒軸部分の端面（楕円形状の端面）と第２筒軸部分の端面（楕円形状の端面）とがぴったりと重なり合う方向に相対的に回動する。
なお、この場合、必要に応じて第１操作片１４ａと第２操作片１４ｂとを互いに圧接させるばねをさらに設けてもよい。
【００３４】
さらに、上記では、付勢手段、例えば２本の棒状ばね１７ａ，１７ｂを介して一体のガイド部材１２と第１操作片１４ａ及び第２操作片１４ｂとを連結したものを説明したが、付勢手段を介してガイド部材１２と第１操作片１４ａ及び第２操作片１４ｂとを個別的に連結してもよい。
【００３５】
また、上記実施形態では、ガイド部材１２の先端部がガイド部材１２の回動によって凹部１８ａ及び凹部１８ｂのいずれかに選択的に嵌入（当接）するように構成したが、凹部１８ａ及び凹部１８ｂがない軌道部では当該軌道部の第１側壁及び第２側壁のいずれかに選択的に当接するように構成してもよい。或いは、ガイド部材１２の先端部が凹部１８ａ及び凹部１８ｂのいずれか又は第１側壁及び第２側壁のいずれかに当接しなくてもよい。要は、ガイド部材１２の先端部がガイド部材１２の回動によって第１側壁側及び第２側壁側に移動して走行玩具Ａが振り分けられるものであればよい。
【符号の説明】
【００３６】
１    軌道
１０    走行玩具用軌道切換装置
１１    軸
１２    ガイド部材
１４ａ    第１操作片
１４ｂ    第２操作片
１７ａ，１７ｂ    棒状ばね
２０    位置決め機構
２４    ロック機構
３０    偏倚機構
Ｂ３１    第１軌道部
Ｂ３２    第２軌道部
【図１】
0003199932.tif 000003
【図２】
0003199932.tif 000004
【図３】
0003199932.tif 000005
【図４】
0003199932.tif 000006
【図５】
0003199932.tif 000007
【図６】
0003199932.tif 000008
【図７】
0003199932.tif 000009
【図８】
0003199932.tif 000010